【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
少なくとも一の環状尿素Ｕと少なくとも一の多官能性アルデヒドＡの反応生成物ＵＡであって、前記反応生成物は、前記アルデヒドＡのカルボニル炭素原子上の置換基として、ヒドロキシル基−ＯＨ及びアルコキシ基−ＯＲから成る群から選択される少なくとも一種の官能基を有し、前記基−ＯＲはアルコキシ基−ＯＲ１及び−ＯＲ２を含み、ここで、Ｒ１とＲ２の両者は、１〜１２個の炭素原子を有する線形、分岐又は環状アルキル基から成る群から選択されることを特徴とし、前記炭素原子は１以上の−Ｏ−、−ＮＲ”−、−Ｓ−で遮断されていて良く、ここでＲ”はＨ又は１〜６個の炭素原子を有するアルキル基を表し、但し２個の−Ｏ−も２個の−Ｓ−原子も直接隣接しないでよく、ここで、
−  Ｒ１とＲ２は互いに異なり、及びＲ２はＲ１より少なくとも１個多い炭素原子を有し、前記反応生成物ＵＡは、
ａ）多官能性アルデヒドＡを環状尿素Ｕと混合して付加反応を起こさせる工程、随意に、前記多官能性アルデヒドＡ、前記環状尿素Ｕ、及び前記反応生成物ＵＡのいずれとも反応しない共溶媒の存在下であり、更に随意には水を除去する工程、
ｂ）脂肪族アルコールＲ１−ＯＨを添加する工程、及び酸性条件下でエーテル化する工程、
ｃ）添加される脂肪族アルコールＲ２−ＯＨと、酸性条件下で更にエーテル化する工程であって、Ｒ２−ＯＨはＲ１−ＯＨ中よりも少なくとも１個多い炭素原子を分子中に有する、工程、
を含む方法により作製される、
又は、
−  Ｒ１とＲ２は同じであり、及び前記反応生成物ＵＡ中、前記アルデヒドＡのカルボニル炭素原子上の置換基である、−ＯＲ基の数の、−ＯＨ基の数と−ＯＲ基の数の和に対する比が少なくとも８０％であり、前記反応生成物ＵＡは、
ａ）多官能性アルデヒドＡを環状尿素Ｕと混合して付加反応を起こさせる工程、随意に、前記多官能性アルデヒドＡ、前記環状尿素Ｕ、及び前記反応生成物ＵＡのいずれとも反応しない共溶媒の存在下であり、更に随意に水を除去する工程、
ｂ）脂肪族アルコールＲ１−ＯＨを添加すること、及び酸性条件下でエーテル化する工程、
ｃ）添加される量の脂肪族アルコールＲ１−ＯＨと、酸性条件下で更にエーテル化する工程、
を含む方法により作製される、
反応生成物ＵＡ。
【請求項２】
請求項１に記載の反応生成物ＵＡであって、Ｒ１とＲ２は互いに異なり、及びＲ２はＲ１より少なくとも１個多い炭素原子を有し、並びに前記反応生成物ＵＡ中、前記アルデヒドＡのカルボニル炭素原子上の置換基である、前記−ＯＲ基の数の、前記−ＯＨ基の数と前記−ＯＲ基の数の和に対する比が少なくとも５０％であり、前記−ＯＲ基の数は、−ＯＲ１基の数と−ＯＲ２基の数の和である、反応生成物ＵＡ。
【請求項３】
前記反応生成物中で化学的に結合されたアルコキシ基の物質量ｎ（ＲＯ−）対環状尿素Ｕの物質量ｎ（Ｕ）の比、ｎ（ＲＯ−）／ｎ（Ｕ）で計測されるエーテル化度が、少なくとも１．１ｍｏｌ／ｍｏｌである、請求項１又は２に記載の反応生成物ＵＡ。
【請求項４】
残余の＞ＮＨ基の物質量の、前記環状尿素Ｕに由来する部分の物質量に対する比が、０．２ｍｏｌ／ｍｏｌ以下である請求項１又は２に記載の反応生成物ＵＡ。
【請求項５】
アルデヒドＡが、グリオキサール、又はグリオキサールを含む混合物であることを特徴とする、請求項１〜４のいずれか一項に記載の反応生成物ＵＡ。
【請求項６】
前記環状尿素Ｕが、エチレン尿素、１，３−プロピレン尿素、１，２−プロピレン尿素、１，４−ブチレン尿素、グリコールウリル、及びこれらの少なくとも二種を含む混合物から成る群から選択されることを特徴とする、請求項１〜５のいずれか一項に記載の反応生成物ＵＡ。
【請求項７】
前記環状尿素Ｕは、前記多官能性アルデヒドＡとの反応の前に、再結晶、抽出、錯化、吸着及びイオン交換反応、蒸留、昇華、並びに溶融結晶化から成る群から選択される１以上の方法によって精製されることを特徴とする、請求項６に記載の反応生成物ＵＡ。
【請求項８】
以下の工程を含む、Ｒ１とＲ２が異なる、請求項１に記載の反応生成物ＵＡの作製方法：
ａ）多官能性アルデヒドＡを環状尿素Ｕと混合して付加反応を起こさせる工程、随意に、前記多官能性アルデヒドＡ、前記環状尿素Ｕ、及び前記反応生成物ＵＡのいずれとも反応しない共溶媒の存在下であり、更に随意に水を除去する工程、
ｂ）脂肪族アルコールＲ１−ＯＨを添加する工程、及び酸性条件下でエーテル化する工程、
ｃ）Ｒ１−ＯＨ中より一つ多い炭素原子を分子中に有する更なる脂肪族アルコールＲ２−ＯＨを添加する工程、及び酸性条件下でエーテル化する工程、
ここで、工程ｂ）及びｃ）のいずれか又は両方を一回又はそれより多く繰り返す。
【請求項９】
請求項８の方法のエーテル化生成物中の、アルコキシ基−Ｏ−Ｒ２の物質量ｎ（−Ｏ−Ｒ２）の、アルコキシ基−Ｏ−Ｒ１の物質量ｎ（−Ｏ−Ｒ１）に対する比が０．１１ｍｏｌ／ｍｏｌと２０ｍｏｌ／ｍｏｌの間である請求項８に記載の方法。
【請求項１０】
以下の工程を含む、Ｒ１とＲ２が同じである、請求項１に記載の反応生成物ＵＡの作製方法：
ａ）多官能性アルデヒドＡを環状尿素Ｕと混合して付加反応を起こさせる工程、随意に、前記多官能性アルデヒドＡ、前記環状尿素Ｕ、及び前記反応生成物ＵＡのいずれとも反応しない共溶媒の存在下であり、更に随意に水を除去する工程、
ｂ）脂肪族アルコールＲ１−ＯＨを添加すること、及び酸性条件下でエーテル化する工程、
ｃ）更なる量の前記脂肪族アルコールＲ１−ＯＨを添加する工程、及び酸性条件下でエーテル化する工程、
ここで、工程ｃ）を少なくとも二回行う。
【請求項１１】
請求項８又は１０に記載の方法であって、工程ａ）において、添加する前記多官能性アルデヒドＡの量が、必要とされる化学量論量の２０％と８０％の間であり、及び工程ａ）の後、更なる量の多官能性アルデヒドＡを添加して工程ａ）で形成された反応混合物と反応させることを特徴とし、ここで、前記多官能性アルデヒドＡ中のアルデヒド基の物質量ｎ（−ＣＨＯ）と、前記環状尿素Ｕ中のアミド基の物質量ｎ（−ＣＯ−ＮＨ−）との比が０．８ｍｏｌ／ｍｏｌ〜１．４ｍｏｌ／ｍｏｌである様に、添加する多官能性アルデヒドＡの総量を選ぶ、
方法。
【請求項１２】
反応の前又は間に、蒸留又は減圧蒸留によって揮発性成分を除去することにより、環状尿素Ｕ、多官能性アルデヒド、及び随意に水又は溶媒、の混合物を濃縮することを特徴とする、請求項８、１０又は１１に記載の方法。
【請求項１３】
工程ａ）の間若しくは後、及び／又は工程ｂ）の間若しくは後に、蒸留によって、少なくとも一部の未反応の前記アルコールＲ１ＯＨ及び／又は水を除去することを特徴とする、請求項８、１０又は１１に記載の方法。
【請求項１４】
請求項１〜７のいずれか一項に記載の反応生成物ＵＡの架橋剤としての使用方法であって、
前記反応生成物ＵＡを、ヒドロキシル基、酸基、好ましくはカルボキシル基、カルバメート基、アミド基、イミド基、アミノ基、イミノ基、メルカプタン基、又はホスフィン基の少なくとも一つを有するバインダー樹脂に混合する工程、均質化する工程、及び前記均質化された混合物を、噴霧法、刷毛塗り、ワイヤー塗布、カーテン塗布、ブレード塗布、ロール塗布、浸漬法、電気泳動堆積、紛体噴霧法、又は静電噴霧法により基板に塗布する工程、
を含む方法。
【請求項１５】
反応生成物ＵＡとバインダー樹脂の前記混合物に、水、有機溶媒、触媒、色素、充填剤、光安定化剤、融合助剤、消泡剤、展着剤、均染剤、展着剤、増粘剤、沈殿防止剤、皮張り防止剤、及び保恒剤の少なくとも一つを添加することを特徴とする、請求項１４に記載の方法。
【請求項１６】
前記基板が、熱可塑性物質及び熱硬化性物質を包含するプラスチック、木材、セラミックス及びガラス、加工木材、皮革、繊維製品、タイヤコード、ゴム物品、紙、段ボール、漆喰、コンクリート、及び金属、金属化回路基板、半導体表面、ディスプレー、及び電子回路に対する包装から成る群から選択されることを特徴とする、請求項１４又は１５に記載の使用方法。
【請求項１７】
請求項１〜７のいずれか一項に記載の反応生成物ＵＡの、紙、繊維製品、木材、加工木材、皮革、又はセルロース性物質から成る群から選択される基板用の架橋剤としての使用方法であって、触媒、充填剤、展着剤、溶媒、及び希釈剤の少なくとも一を、前記反応生成物ＵＡに混合して架橋剤組成物を形成する工程、及び前記架橋剤組成物を前記基板に塗布する工程、を含む方法。
【請求項１８】
請求項１〜７の少なくとも一に記載の前記反応生成物ＵＡと、少なくとも一のバインダー樹脂とを含む混合物であって、その各々が少なくとも一のヒドロキシ官能基、カルバメート官能基、酸官能基、アミド官能基、イミド官能基、アミノ官能基、イミノ官能基、メルカプタン官能基、又はホスフィン官能基を有する、混合物。
【請求項１９】
請求項１４〜１７のいずれか一項に記載の方法により前記反応生成物が塗布された基板。